(57)【特許請求の範囲】
【請求項１】
インク転写部に使用されるローラ(３，７，８)の相対位置を調節することによって、回転印刷機によって印刷された画像を調整するための方法であって、
これらのローラの少なくとも１つのローラ(７，８)を、その作動駆動部(Ｍ１，Ｍ２，Ｍ３，Ｍ４)によって独立に又は一緒に移動させることができ、その結果、印刷工程に使用されるローラ(３，７，８)を互いに対して動かすことができ、隣接した前記ローラを、離れた状態から互いに近づけ、
少なくとも１つのカメラ(Ｋ)によって、印刷用材料ウエブ(１７)の上に印刷された画像(１０)を走査して撮像し、印刷された画像又はその一部の撮像による画像を電気式の制御調整ユニット(１３)に順番に送り、
制御調整ユニット(１３)によって、順番に送られてきた印刷された画像又はその一部の撮像による画像における光強さ、又は、印刷すべき未印刷材料(１７)から反射した光の強さと印刷された画像(１０)の種々のセグメント(１８)における反射光の強さとの差であるコントラスト値を調べ、その変化に基づいて、印刷された画像又はその一部の撮像による画像の転写の完全さについて評価し、
印刷された画像又はその一部の撮像による画像において、印刷すべき材料の上に全ての画像エレメントを認識できるようになるまで、前記隣接したローラを近づけるために、制御調整ユニット(１３)によって、前記隣接したローラのうちの少なくとも１つのローラの作動駆動部用の信号を発生させることを特徴とする方法。
【請求項２】
インク転写部に使用されるローラ(３，７，８)の相対位置を調節することによって、回転印刷機によって印刷された画像を調整するための方法であって、
これらのローラの少なくとも１つのローラ(７，８)を、その作動駆動部(Ｍ１，Ｍ２，Ｍ３，Ｍ４)によって独立に又は一緒に移動させることができ、その結果、印刷工程に使用されるローラ(３，７，８)を互いに対して動かすことができ、隣接した前記ローラを必要以上に近づけ、過剰印刷になっている状態から、接触した状態に保ちながら遠ざけ、
少なくとも１つのカメラ(Ｋ)によって、印刷用材料ウエブ(１７)の上に印刷された画像(１０)を走査して撮像し、印刷された画像又はその一部の撮像による画像を電気式の制御調整ユニット(１３)に順番に送り、
制御調整ユニット(１３)によって、順番に送られてきた印刷された画像又はその一部の撮像による画像における光強さ、又は、印刷すべき未印刷材料(１７)から反射した光の強さと印刷された画像(１０)の種々のセグメント(１８)における反射光の強さとの差であるコントラスト値を調べ、その変化に基づいて、印刷された画像又はその一部の撮像による画像の転写の完全さについて評価し、
印刷された画像又はその一部の撮像による画像の光強さ又はコントラスト値がほぼ一定である限り、前記隣接したローラを遠ざけるために、制御調整ユニット(１３)によって、前記隣接したローラのうちの少なくとも１つのローラの作動駆動部用の信号を発生させることを特徴とする方法。
【請求項３】
順番に撮像した画像を前記カメラによって制御調整ユニット(１３)に送る前に、ローラ(３，７，８)の幾何学寸法、又は、これらの幾何学寸法から導かれるローラ(３，７，８)の相対位置を知る制御プログラムによる前記作動駆動部への信号によって、ローラ(３，７，８)の位置を互いに対して仮調整する、請求項１又は２に記載の方法。
【請求項４】
評価又は計算ユニット(１３)によって、印刷された画像の種々のセグメント(１８)における反射光の強さをローラ位置に対応して決定し、それにより、印刷工程における典型的な光強さ曲線を、印刷された画像の種々のセグメントについて観測することができ、
印刷された画像(１０)の種々のセグメント(１８)の所定部分が特定の光強さ曲線(１９)を示すまで、制御調整ユニット(１３)によって、前記隣接したローラの作動駆動部(Ｍ１，Ｍ２，Ｍ３，Ｍ４)用の信号を発生させる、請求項１〜３の何れか１項に記載の方法。
【請求項５】
評価及び計算ユニット(１３)によって、印刷された画像のセグメントにおけるコントラスト値(ｋｉ)をローラの相対位置に対応して決定し、それにより、印刷工程に典型的なコントラスト値曲線を、印刷された画像の種々のセグメントについて観測することができ、
印刷された画像(１０)の種々のセグメント(１８)の所定部分が、特定のコントラスト値曲線(１９)を示すまで、制御調整ユニット(１３)によって、前記隣接したローラの作動駆動部(Ｍ１，Ｍ２，Ｍ３，Ｍ４)用の信号を発生させる、請求項１〜３の何れか１項に記載の方法。
【請求項６】
印刷された画像(１０)又はその少なくとも一部分を、少なくとも１つのカラーカメラ(Ｋ)によって撮像する、請求項１〜５の何れか１項に記載の方法。
【請求項７】
印刷された画像(１０)又はその少なくとも一部分を、少なくとも１つのカラーカメラ(Ｋ)によって撮像し、
コンピュータによって、少なくとも１つの色の光強さ曲線又はコントラスト値曲線をローラ位置に対応して決定し、
印刷された画像(１０)の種々のセグメント(１８)の所定部分が特定の色強さ曲線(１９)を示すまで、制御調整ユニット(１３)によって、前記隣接したローラの作動駆動部(Ｍ１，Ｍ２，Ｍ３，Ｍ４)用の信号を発生させる、請求項１〜５の何れか１項に記載の装置及び方法。
【請求項８】
いくつかの色の光強さの値又はコントラスト値(１９)を制御調整ユニットによってプロットし、
光強さの値又はコントラスト値(１９)から導き出された座標に基づいて、これらの値をコンピュータによって別の座標系に変換し、
これらの座標のうちの少なくとも１つの選択をローラの相対位置に対応して決定し、
印刷された画像(１０)の種々のセグメント(１８)の所定部分が特定の座標曲線を示すまで、制御調整ユニット(１３)によって、前記隣接したローラの作動駆動部(Ｍ１，Ｍ２，Ｍ３，Ｍ４)用の信号を発生させる、請求項７に記載の方法。
【請求項９】
印刷された画像の反射光の光又は色の強さから導かれた値(ｋｉ)を規準化する、請求項１〜８の何れか１項に記載の方法。
【請求項１０】
印刷された画像の反射光の光又は色の強さから導かれた値(ｋｉ)を、印刷又はインク付け工程に使用されるローラ(３，７，８)の位置に対応してプロットし、それをコンソール又はスクリーンの上で見られるようにする、請求項１〜９の何れか１項に記載の方法。
【請求項１１】
いくつかの印刷ユニットを有する場合において、各印刷ユニットを、別々の測定工程に基づいて調整する、請求項１〜１０の何れか１項に記載の方法。
【請求項１２】
いくつかの印刷ユニットを、１つの測定工程に基づいて調整する、請求項１〜１０の何れか１項に記載の方法。
【請求項１３】
印刷工程に使用されるローラ(３，７，８)の相対位置を調節することによって、印刷される画像を調整する回転印刷機であって、
これらのローラの少なくとも１つのローラ(７，８)をそれ用の作動駆動部(Ｍ１、Ｍ２、Ｍ３、Ｍ４)によって独立に又は一緒に移動させることにより、印刷工程に使用されるローラ(３，７，８)を互いに対して動かすことができ、
印刷すべき未印刷材料（１７）の上に印刷された画像（１０）を記録して、記録された画像を電気的評価及び計算ユニット(１３)に送る少なくとも１つのカメラ(Ｋ)を有し、
評価及び計算ユニット(１３)は、順番に送られてきた印刷された画像又はその一部の記録画像を、光強さ、又は、印刷すべき未印刷材料(１７)から反射した光の強さと印刷された画像(１０)の種々のセグメント(１８)における反射光の強さとの差であるコントラスト値について、光強さ又はコントラスト値の変化に基づいて評価し、印刷された画像又はその一部の記録画像における色転写の完全さを調べ、
隣接した前記ローラを離れた状態から互いに近づけるとき、印刷された画像又はその一部の記録画像において、印刷すべき材料の上に全ての画像エレメントを認識できるようになるまで、前記隣接したローラを近づけるために、前記隣接したローラの少なくとも１つのローラの作動駆動部用の信号を発生させるように、評価及び計算ユニット(１３)が構成されることを特徴とする回転印刷機。
【請求項１４】
印刷工程に使用されるローラ(３，７，８)の相対位置を調節することによって、印刷される画像を調整する回転印刷機であって、
これらのローラの少なくとも１つのローラ(７，８)をそれ用の作動駆動部(Ｍ１、Ｍ２、Ｍ３、Ｍ４)によって独立に又は一緒に移動させることにより、印刷工程に使用されるローラ(３，７，８)を互いに対して動かすことができ、
印刷すべき未印刷材料（１７）の上に印刷された画像（１０）を記録して、記録された画像を電気的評価及び計算ユニット(１３)に送る少なくとも１つのカメラ(Ｋ)を有し、
評価及び計算ユニット(１３)は、順番に送られてきた印刷された画像又はその一部の記録画像を、光強さ、又は、印刷すべき未印刷材料(１７)から反射した光の強さと印刷された画像(１０)の種々のセグメント(１８)における反射光の強さとの差であるコントラスト値について、光強さ又はコントラスト値の変化に基づいて評価し、印刷された画像又はその一部の記録画像における色転写の完全さを調べ、
隣接した前記ローラを必要以上に近づけ、過剰印刷になっている状態から、接触した状態を保ちながら遠ざけるとき、印刷された画像又はその一部の記録画像において、光強さ又はコントラスト値がほぼ一定である限り、前記隣接したローラを遠ざけるために、前記隣接したローラの少なくとも１つのローラの作動駆動部用の信号を発生させるように、評価及び計算ユニット(１３)が構成されることを特徴とする回転印刷機。
【請求項１５】
前記作動駆動部は、印刷工程に使用されるローラ(３，７，８)を確実に平行にさせる別々の調整装置を有する、請求項１３又は１４に記載の回転印刷機。
【発明の詳細な説明】
【０００１】
【発明の属する技術分野】
本発明は、特許請求の範囲の請求項１による装置及び方法に関する。
【０００２】
【従来の技術】
これに関して、全範囲の回転印刷機において、インク付け及び印刷工程に使用されるローラの位置を最適化することによって、画像を調整することが必要であることに留意しなければならない。かくして、グラビア印刷機の場合、圧胴の位置は、印刷ローラに対して調整される。
【０００３】
フレキソ印刷機の場合、圧胴、印刷ローラ及び彫刻ローラが、互いに対して調整される。
【０００４】
従って、印刷機フレームの少なくとも１つのブラケットの上を移動することができる印刷ローラ及び彫刻ローラを備えたフレキソ印刷機が存在する。これらの２つのローラは、印刷すべき材料が乗る圧胴のところで、それぞれの作動駆動部によって互いに独立に又は一緒に移動される。
【０００５】
かくして、ドイツ特許第ＤＥ２９４１５２１Ａ１号及び同第ＤＥ３７４２１２９Ａ１号は、印刷ローラを支持する支持体のベアリングブロックが、印刷機フレームのインク付け装置の支持体用ガイド内で案内され且つそれぞれのスピンドル式駆動部を備えており、上記印刷ローラの支持体が、インク付けローラ又は彫刻ローラのベアリングブロックを支持し且つそれ自体のスピンドル式駆動部を有する別の支持体用ガイドを備えている、印刷機を示している。
【０００６】
ドイツ特許第ＤＥ４００１７３５Ａ１号は、印刷ローラを支持する支持体と、インク付けローラ及び彫刻ローラを支持する支持体とが、印刷機のインク装置ブラケットの共通の支持体用ガイドに案内され、それらの支持体が連結して又は独立してスピンドル式駆動部によって移動されるフレキソ印刷機を開示している。
【０００７】
【発明が解決しようとする課題】
この既知の種類の回転印刷機の場合、画像は、以下のような既知の仕方で調整される。記憶装置に入力されたデータに頻繁にアクセスする電気コントローラが設けられる。このデータは、印刷機の幾何学的寸法及びローラの直径を考慮して、印刷ローラと圧胴との間の距離を調節することに関するデータである。次いで、このコントローラが、画像のすべての部分が転写されることを保証すべきローラ相対位置を調節する。
【０００８】
もちろん、異なるローラ、印刷フォーム、並びに、印刷すべき材料及び使用されるその他のすべての部品は、追加の調節をしばしば必要とする幾何学的公差を有する。
【０００９】
この追加の調節は、画像を見ながらローラ位置を調節する印刷機ガイド又は監視人によって行われる。
【００１０】
画像のこの種類の調整は、印刷工程に使用されるローラに付与される圧力を最小にして、良好な画像が得られることを保証する。しかしながら、画像のこの種類の調整は、複雑であり、多くの時間及び不合格品を必要とし、更に、目による点検を使用する印刷機ガイド又は監視人の主観的な判断に依るという欠点がある。
【００１１】
従って、本発明の目的は、画像を所望の最適品質に自動的に調整することを可能にする前述の種類の装置及び方法を提供することにある。
【００１２】
【課題を解決するための手段】
本発明は、前述の種類の装置のこの問題を、印刷された材料ウエブ上の画像を走査し且つ撮像された画像を順番に電気コントローラに送る少なくとも１つのカメラを設けることによって解決する。このコントローラは、撮像された画像から最適なローラ位置を決定し、かくして、位置決めモータを自動的に駆動する。
【００１３】
これに関し、印刷及びインク付け工程に使用されるローラの幾何学的寸法を知っており、(例えば、調節する距離が長い場合又はローラを交換した後、)互いに対するこれらのローラの位置を作動駆動部への信号によって仮調整しても良いしそれらを仮調整しなくても良い制御プログラムを有するのが有利である。
【００１４】
しかしながら、本発明の方法は、かかる追加の制御プログラムがなくても機能する。
【００１５】
本発明の有利な実施形態は、画像のデジタル化済みの所望輪郭が記憶ユニットに記憶されていることを含む。次いで、この所望輪郭と撮像されたそれぞれの画像とを(選択的にはコントローラにおいて)比較する。次いで、撮像された画像と記憶されている所望輪郭との間の比較により、それらが最も良く一致するようになるまで、コントローラは、ローラを移動させる作動駆動部用の作動信号を発生させる。
【００１６】
本発明の別の実施形態は、記憶装置に記憶されているデジタル化済みの所望輪郭を必要としない。この追加の実施形態は、画像の異なるセグメントの反射光の強さが、ローラの相対位置の関数である特性曲線をなす事実を利用する。
【００１７】
かくして、印刷及びインク付け工程に使用されるすべてのローラ間の接触がない限り、反射光の強さは変わらない。接触すると、印刷すべき材料へのインクの転写が始まり、反射光の強さが著しく変化し、ついには、インクの転写量が最適値に達する。更に、ローラが互いに近づき続けるとき、反射光の強さは、僅かに変化するに過ぎない。
【００１８】
強さの変化が平坦になった領域では、互いに対してローラを動かすためにローラに付与される圧力とインク転写工程との間の最適条件が、通常、達成されている。もしローラを互いに近づけ続けるならば、積み重なる圧力により、ローラ、ローラベアリング、印刷フォーム、印刷すべき材料等が破損することになろう。
【００１９】
この理由で、撮像された画像を異なるセグメントに区分し、複数の画像セグメントを撮像するカメラで即座に画像を撮像するのが有利である。
【００２０】
十分な数の画像セグメントが一定の選択された光強さ曲線を有するまで、ローラの互いの正面への相互の接近を終了させない。印刷品質について主張される高度な要求は、すべての画像セグメントの光強さの変化が後戻りするとき又はすでに後戻りしてしまっているときに満たされている。かくして、画像のすべてのセグメントへの良好なインク転写が保証される。
【００２１】
この実施形態を、印刷された材料の光強さ値と印刷すべき材料の未印刷部分の光強さ値との差を形成することによって、改良しても良い。このようにして得られた差を、以下、コントラスト値と称する。コントラスト値は、光強さ値と類似の仕方で使用される。
【００２２】
少なくとも１つのカラーカメラの使用が、別の有利な測定法として推奨され、その結果、選択された波長範囲の光をプロットしても良い。この測定法は、画像の記憶されているデジタル化済みの所望輪郭との比較を容易にするのに適し、また、光強さ値又はコントラスト値の曲線を改良するのに適している。現代のデザインの商業用カメラは、通常、光感知エレメントとして、特定の波長の光に対して敏感な半導体構成要素を有しており、この特徴は、半導体領域における写真効果及びその適用例から生ずるものである。カメラがこのように電気出力値をいくつかの色(例えば、赤、黄、青)の色強さ値に割り当てることができるとき、有利である。次いで、これらの値は、調整制御ユニットに利用可能である。
【００２３】
このように、画像又は画像のセグメントの異なる色の色強さ曲線をプロットしても良いし、それらの全スペクトルをプロットしても良い。次いで、測定値を上述した仕方で使用し、印刷ローラを適当な位置に調整する。個々の色について、上述した方法によってコントラスト値を形成しても良い。
【００２４】
光強さ値を、更なる評価に適当な座標系に変換しても良い。もちろん、同じことがコントラスト値にも当てはまる。直前の段階の光強さ値及び色強さ値(波長／周波数)から導かれたこれらの値も、ローラの相対位置の関数である特性曲線をなし、上述した仕方で使用することができる。
【００２５】
特に、フレキソ印刷においてはブロックの厚さを考慮に入れなければならないので、本発明をフレキソ印刷に使用することが有利である。加えて、それらの接着ストリップ及び使用されるその他のエレメントは、異なる厚さ公差を有していることもあり、その結果、部品がちょうど触れるように部品を徐々に動かすとき、ブロックの部品が全く画像を作らず、かくして、画像が部分的にのみ生じることがある。従って、フレキソ印刷の場合、前述の幾何学的な所望値と印刷工程に使用されるローラの実際の位置との間のずれが特に大きい。
【００２６】
便宜上、カメラとして、デジタルカメラが使用される。デジタルカメラは、撮像された画像のデジタル化済み画像を送る。
【００２７】
多数の印刷ユニットの場合には、各印刷ユニットを別々に調整しても良い。
【００２８】
更に、種々のローラを平行にさせるために、作動駆動部を別々に調整しても良く、その傾斜位置のため、長さ方向に亘って圧力が異なるはずである。フレキソ印刷では、例えば、中でも、印刷ローラと圧胴とが平行になることを保証するために、インク装置の一方の側の作動駆動部を別に調整することができるようになっている。
【００２９】
本適用例の範囲内の測定手順は、光強さ値及び／又はコントラスト値の推移の監視であり、その間、印刷工程に使用されるローラは、互いに対して調整される。１つのカメラだけを使用する場合、機械のいくつかのインク付け装置を順番に調整する、即ち、インク付け装置を調整している間に測定工程を実行することもある。
【００３０】
しかしながら、既にいくつかのインク付け装置を通過した印刷すべき材料のところで、１回だけ、測定方法を実行し、機械のこれらのインク付け装置を調整しても良い。この手順により、時間を更に節約することができる。選択的には、この手順は、１つのカメラだけを使用するときにも可能である。
【００３１】
撮像された画像と所望輪郭との間の最も良好に一致させる調整が達成されたら又は達成されていたらすぐに、そのときの値を記憶装置に記憶する。同じことは、本発明による他の調整手順から得られた調整値にも当然適用される。
【００３２】
このように、例えば、印刷工程が中断した後、及び、印刷用シリンダ又はローラが遠ざかった後、これらの調整値を再び迅速に見つけることができる。
【００３３】
【発明の実施の形態】
以下、本発明の実施形態を、図面を参照して説明する。
【００３４】
駆動部を備えた圧胴３が、側面部材１、２だけが概略的に図示されている印刷機フレームに在来の仕方で位置決めされている。側面部材１、２は、印刷ユニットブラケット４を支持しており、この印刷ユニットブラケット４の上で、印刷ローラー７のベアリングブロック５が図示していないガイドに沿って両矢印Ａの方向に移動され、彫刻ローラ８のベアリングブロック６が図示していないガイドに沿って両矢印Ｂの方向に移動される。両側に設けられているベアリングブロック５、６は、特に、各ローラ７、８を単独で移動させることも、両方のローラ７、８を互いに対する位置を固定して一緒に移動させることもできるような仕方で、独立に駆動することができるサーボモータＭ１乃至Ｍ４によって移動される。
【００３５】
印刷機フレーム１、２は、更に、インク装置ブラケット(図示せず)を備え、このインク装置ブラケットの上で、印刷ローラ７及び彫刻ローラ８を適当な仕方で動かすことができ、かくして、すべての印刷用シリンダ又はローラについて単一の圧胴３だけを有している。
【００３６】
原則として、本発明のフレキソ印刷機は、ドイツ特許第ＤＥ２９４１５２１Ａ１号、同第ＤＥ３７４２１２９Ａ１号及び同第ＤＥ４００１７３５Ａ１号に記載されているフレキソ印刷機と同じような機械デザインを有している。
【００３７】
彫刻ローラ８は、既知のインク溜めドクタを好ましくは有する在来のインク付けユニットを備えている。
【００３８】
印刷ローラ７は、紙ウエブ１７に印刷を行うブロック９を有している。図示の場合、図面に簡略的に示されている菱形パターンが印刷される。圧胴３のところに採用されている印刷ローラ７のため、圧胴３の上を矢印Ｃ及びＤの方向に移動している紙ウエブ１７に、簡略的に矩形形状で示されている画像１０が印刷される。この画像１０は、カメラＫによる走査範囲内で撮像され、カメラＫは、順番に撮像された画像を、コンピュータを備えた制御調整ユニット１３に線１２を通して送る。印刷ローラ７の直径及び印刷ローラ７が支持しているブロック９の厚さに関するデータは、特別の入力装置１４によって制御調整ユニット１３に入力されている。
【００３９】
印刷すべき画像１０の所望輪郭は、別の入力ユニット１５、例えば、ＣＤに記録されたデータの形態によって制御調整ユニット１３に入力されている。例えば、１つの実施形態では、カメラＫによって撮像された画像は、入力ユニット１５によって入力された制御調整ユニット１３の画像の所望輪郭と比較される。制御調整ユニット１３は、信号を作動装置１６に線によって送信し、それが発生する信号に従って、印刷ローラ７及び彫刻ローラ８のサーボモータＭ１乃至Ｍ４を制御する。
【００４０】
印刷ローラ７が調整によって品質的に最も良い画像を作る位置に移動されたらすぐに、調整値を制御調整ユニットの記憶装置に記憶し、その結果、必要ならば、印刷ローラ７及び彫刻ローラ８の最適な調整値を見つける。
【００４１】
図２に示す実施形態では、フレキソ印刷機に使用される３つのローラを互いの正面に動かす仕方即ち順序を示す。グラビア印刷のような他の印刷方法では、２つのローラだけが印刷工程に使用されるので、ローラの相対位置の調整を示す必要はない。
【００４２】
図２は、マトリックス形態で構成されている。大文字Ａ乃至Ｃで標識を付けた縦行は、いくつかの実施形態を表し、小文字ａ乃至ｅで標識を付けた横列は、各実施形態の工程段階を表している。図２では、印刷工程中に印刷ローラ７と圧胴３との間を移動し且つ図１で参照番号１７が割り当てられていた印刷すべき材料は、省略されている。ローラの内側の矢印は、ローラ７、８の個々の動きを示し、２つのローラにまたがる矢印は、ローラの相対位置のいかなる変化もない、ローラパッケージの連結移動を示している。
【００４３】
図２の説明では、特に、用語「過剰印刷」をしばしば使用する。従って、ここで、用語「過剰印刷」がローラを動かすこと即ちローラを押圧し続けることを意味することを指摘し、この特徴は、ローラの正確な幾何学的寸法を越えて進ませることにある。「過剰印刷」の基準により、「過剰印刷」をなすローラ間、又は、過剰印刷をなすローラ間で印刷される印刷すべき材料とこれらのローラのうちの１つとの間で、インクが各々の場合の全体領域にわたって転写されることを保証する。この目的に必要とされる、即ち、「過剰印刷」又は印刷しなければならない「距離」は、ここでは、印刷工程から印刷工程まで、ミリメートルの端数からミリメートルの程度で変化する。ほとんどの印刷工程において、可撓性ローラ、印刷すべき材料、又はその他の可撓性エレメントが、この距離を増大させるのに使用しても良いことが明らかである。いくつかの例は、フレキソ印刷におけるブロック、グラビア印刷における圧胴である。
【００４４】
しかしながら、通常スチールで作られているシリンダ又はローラを不規則なシェル面を越える量による簡単な手段で過剰印刷させることを監視することにも価値がある。これは、特に、シリンダがゴム被覆シェル面を有するときの問題である。この理由で、前述の過剰印刷は、異なる印刷方法に使用しても良い。
【００４５】
図２の第１の実施形態Ａにおいて、横列ａは、他の実施形態の場合と同様、使用される３つのローラ３、７及び８を、それらの互いの正面に向かってまだ互いに動かしていない開始位置にある。
【００４６】
工程段階Ａｂでは、印刷ローラ７を圧胴３に押し付けるように動かし、既に説明した仕方で過剰印刷する。印刷ローラ７一個の動きを矢印で示す。この仕方では、(もしブロックのすべての帯域がインク付けされていれば、)印刷すべき材料にブロックのすべての帯域がインクを転写することが保証されよう。しかしながら、工程段階Ａｂでは、印刷ローラと彫刻ローラとの接触がまだ全く行われていないので、印刷ローラ７及び印刷すべき材料にインクは転写されない。
【００４７】
実施形態Ａの次の工程段階ｃは、印刷すべき材料の上にすべての画像エレメントを認識できるようになるまで、彫刻ローラ８を印刷ローラ７まで移動させることからなる。この状態は、前述の方法を使用する少なくとも１つのカメラを用いることによって確かめられる。
【００４８】
工程段階ｂに使用される圧胴３と印刷ローラ７の永久的な過剰印刷は望ましくないので、この段階で、工程段階Ａｄ及びＡｅも行われる。
【００４９】
工程段階Ａｄは、２つのローラ７、即ち印刷ローラ７及び彫刻ローラ８をどのように圧胴から遠ざけるのかを示し、それにより、彫刻ローラ８と印刷ローラ７との間の調整済みの相対位置が維持される。
【００５０】
工程段階Ａｅによれば、印刷すべき材料の上にすべての画像エレメントが再び存在するようになるまで、２つのローラを再び圧胴まで移動させ、この特徴は、再び、カメラの助けによって確かめられる。かくして、工程は終了し、印刷すべき画像は最適化され、実際の製造工程が始まる。
【００５１】
第２の実施形態Ｂにおいても、横列ａは、開始段階であり、３つのローラ３、７及び８を、それらの互いの正面に向って互いに動かしていない。
【００５２】
工程段階Ｂｂでは、彫刻ローラ８を印刷ローラ７に向って動かし、既に説明した仕方で過剰印刷させる。この仕方では、すべてのブロックの帯域全体がインクで覆われる。
【００５３】
実施形態Ｂの次の工程段階ｃは、印刷すべき材料の上にすべての画像エレメントを認識することができるようになるまで、彫刻ローラ８と印刷ローラ７とからなるパッケージを圧胴３まで移動させることからなる。この状態は、既に説明した方法によって、少なくとも１つのカメラを用いることによって確かめられる。
【００５４】
工程段階ｂに使用される圧胴３と印刷ローラ７の永久的な過剰印刷は望ましくないので、この段階で、工程段階Ｂｄ及びＢｅも行われる。
【００５５】
工程段階Ｂｄは、彫刻ローラ８をどのように印刷ローラ７から遠ざけるのかを示し、それにより、印刷ローラ７と圧胴３との間の調整済みの相対位置が維持される。
【００５６】
工程段階Ｂｅによれば、印刷すべき材料の上にすべての画像エレメントが再び存在するようになるまで、２つのローラが互いに押し付けられるように彫刻ローラを移動させ、この特徴は、再び、カメラを用いることによって確かめられる。かくして、工程は終了し、印刷すべき画像は最適化され、実際の製造工程が始まる。
【００５７】
第３の実施形態Ｃでは、印刷ローラ７及び彫刻ローラ８を連結させ且つ圧胴３の方向に動かし、それにより、３つのすべてのローラ３、７及び８において、相互に過剰印刷させる。
【００５８】
実施形態Ｃ１では、印刷ローラ７と彫刻ローラ８とからなる一対のローラを一緒に圧胴から遠ざけ、それにより、一対のローラ間の過剰印刷が維持される。
【００５９】
工程段階Ｃ１ｄでは、印刷すべき材料にすべての画像エレメントが転写されるまで、一対のローラを圧胴の方向に動かす。
【００６０】
工程段階Ｃ１ｅでは、彫刻ローラ８を印刷ローラ７から遠ざける。最小隙間において、インクの転写はもはや全くない。
【００６１】
工程段階Ｃ１ｆでは、印刷すべき画像がいかなる領域ロス又はかすれもなしに再形成されるまで、彫刻ローラ８を印刷ローラまで再び移動させる。
【００６２】
図２のＣ２による実施形態とＣ１による実施形態との違いは、段階ｃ乃至ｅにある。段階ｃでは、彫刻ローラ８を、圧胴３における過剰印刷位置に動かされている印刷ローラ７から遠ざける矢印方向に、彫刻ローラ８の印刷ローラ７に対する過剰印刷位置の外に移動させる。最終的には、工程ｄにおいて、彫刻ローラ８を印刷ローラにおける最適位置に移動させ、工程ｅ及びｆにおいて、印刷ローラ及び彫刻ローラを一緒に圧胴から遠ざける。制御調整ユニットは、印刷すべき画像がいかなる領域ロス又はかすれもなしに再形成されるのを保証するような形態で、印刷ローラ及び彫刻ローラを圧胴のところで動かす。
【００６３】
図３は、矩形２０の中に含まれる画像をどのように異なるセグメント１８に区分することができるかを示す概略図である。図面の都合上、印刷すべき画像は図示されていない。実際には、画像１０を数千のセグメント１８に区分することが可能である。
【００６４】
図４は、互いに対するローラの位置ｘの関数としてプロットした、セグメント１８ａ及び１８ｂのコントラスト曲線ｋｉを示す。出来た特性ライン１９ａ及び１９ｂはそれぞれ、セグメント１８ａ及び１８ｂに割り当てられている。両方の特性ラインがほぼ同じ形状を有することは、すぐに明らかになる。しかしながら、両方の特性ラインがほぼ同一の最大値を有する状態は、この実施形態のコントラスト値が規準化されていることから導かれている。そのような規準化は、例えば、いくつかのセグメント１８の平均に対して行うのが良い。
【００６５】
既に何回か述べたように、印刷工程に使用されるローラ、ブロック等は、公差を有するので、ローラ位置に対する２つの特性ラインの曲線はずれており、この場合、セグメント１８ａは、セグメント１８ｂよりも「早期に」完全に印刷されることになる。本実施形態では、セグメント１８ａは、特性ライン１９ａの領域２１ａに到達したときには既に完全に印刷されている。特性ライン１９ｂの領域２１ｂに到達したとき、両方のセグメント１８ａ及び１８ｂが印刷されている。
【００６６】
これに類似して、画像セグメントの選択番号をｎとして、ｎ番目の特性ラインの領域２１ｎに到達したとき、印刷ローラの追加の調整工程を終了させても良い。
【００６７】
しかしながら、図示の実施形態において、特性ライン１９の領域２１が特性ライン１９の第２の曲り部の後ろにあるという状態は、常にこうでなければならないことを意味しない。むしろ、再形成された特性ラインは、画像セグメント１８の或る選択番号の特性ラインが上述のような領域に到達したとき、評価者がいかなる問題もなしに認識することできるほど特徴的な曲線をなすいくつかの領域を有している。かくして、この領域を決定することは、多数のパラメータ(得るべき画像品質、印刷すべき材料、印刷工程等)によって定められる基準決めであり、必要なとき、それを行えば良い。
【００６８】
最初、印刷工程に使用されるローラによって過剰印刷され、次いで、これらのローラが(機械的接触を維持しながら)互いから遠ざかるときでさえも、本発明の装置及び方法がすべて機能することが、図４の特性ラインを見ることにより容易に理解される。
【００６９】
この場合、観察者には、図４の右方に示した特性ラインの領域、即ち、印刷された材料１７の上で相対的にインクが飽和し且つ特性ラインの傾きが僅かである領域が分かるであろう。
【００７０】
この場合、セグメント１８の番号ｍについて、割り当てられた特性ライン１９の領域２１から外れ且つこれらの領域のコントラスト値がより急速に減少し始めるとき、ローラの分離動作を停止しなければならない。
【００７１】
ローラを互いから遠ざけることによってローラ位置を調整し、望ましくないいかなる領域ロス又はかすれなしに画像が再形成されるまで、この工程を行う本発明のこの変形例でさえ、特許請求の範囲の請求項１の範囲内にある。
【００７２】
図示の実施形態を実施するために種々の数学的操作を必要とする算術段階、及び、発明の詳細な説明及び特許請求の範囲に含まれる変形の実施形態を実施するための算術段階を、評価及び計算ユニットで行っても良い。この評価及び計算ユニットはまた、制御調整ユニット１３に収容されているのが良い。
【図面の簡単な説明】
【図１】１つの電気コントローラが印刷ローラを制御することを可能にする、１つだけの印刷ユニットを有するフレキソ印刷機の概略図である。
【図２】フレキソ印刷機の彫刻ローラ及び印刷ローラを互いに対して及び圧胴に対して動かす順序を示す概略図である。
【図３】画像をセグメントに分割する概略図である。
【図４】ローラの相対位置の関数である画像のコントラスト値を示す曲線の概略図である。
【符号の説明】
１    印刷機フレーム
２    印刷機フレーム
３    圧胴
５    ベアリングブロック
６    ベアリングブロック
７    印刷ローラ
８    彫刻ローラ
１０  画像
１３  制御調整ユニット
１７  紙ウエブ
１８  画像セグメント
１９  コントラスト値曲線
Ｋ    カメラ
Ｍ１，Ｍ２，Ｍ３，Ｍ４  作動駆動部
【図１】
0004363819.tif 000002
【図２】
0004363819.tif 000003
【図３】
0004363819.tif 000004
【図４】
0004363819.tif 000005